(57)【特許請求の範囲】
【請求項１】
所定の記録媒体に対してデジタルデータの記録及び再生動作を行なうことのできる第１の記録再生ユニットと、
少なくとも前記第１の記録再生ユニットに対してデジタルデータの送受信が可能とされ、前記第１の記録再生ユニットで第１記録媒体から読み出され、供給されたデジタルデータを第２記録媒体に記録し、また該第２記録媒体からデジタルデータを再生して前記第１の記録再生ユニットに供給することのできる第２の記録再生ユニットから成り、
前記第１の記録再生ユニットは、前記第１記録媒体から再生された再生データを前記第２の記録再生ユニットに送信する際に、該第１の記録再生ユニットに固有に設定されている識別コードも送信し、
前記第２の記録再生ユニットは、前記第１の記録再生ユニットから送信されてきた前記再生データと前記識別コードを前記第２記録媒体に記録するとともに、該第２記録媒体から再生された前記再生データと前記識別コードを前記第１の記録再生ユニットに送信し、
前記第１の記録再生ユニットは、前記第２の記録再生ユニットから送信されてきた前記識別コードを、該第１の記録再生ユニットの前記固有に設定されている識別コードとを比較し、両者が一致した場合にのみ、送信されてきた前記再生データと前記識別コードの第３記録媒体への記録動作を実行可能とする
ことを特徴とするデジタルコピーシステム。
【請求項２】
前記第１の記録再生ユニットは、その第１の記録再生ユニット固有に設定されている識別コードを記憶する記憶手段と、
送信されてきたデータ内に含まれる識別コードと、前記記憶手段に記憶されている識別コードが一致した場合に、送信されてきたデータの記録媒体への記録動作を可能とする記録制御手段を備えていることを特徴とする請求項１に記載のデジタルコピーシステム。
【請求項３】
記録媒体に対してデジタルデータの記録及び再生を行なうことのできる記録再生手段と、
本記録再生装置の固有の識別コードを記憶する記憶手段と、
前記記録再生手段で再生された再生データに前記記憶手段に記憶された識別コードを付加して送信データを生成し、外部機器に送信する送信手段と、
外部機器から送信されてきたデータを受信するとともに、受信された該データのうちから識別コードを抽出することができる受信手段と、
前記受信手段で抽出された前記識別コードと前記記憶手段に記憶された前記固有の識別コードとを比較し、両者が一致した場合にのみ、前記受信手段で受信された前記データについての前記記録再生手段による記録媒体への記録動作を許可する記録制御手段と、
を備えたことを特徴とする記録再生装置。
【請求項４】
前記送信手段は、前記記録再生手段で再生されたデータに対して、所定量のデータ単位毎に前記識別コードを付加して送信データを生成することを特徴とする請求項３に記載の記録再生装置。
【請求項５】
前記記録再生手段で再生されたデータは、圧縮デジタルデータであることを特徴とする請求項４に記載の記録再生装置。
【請求項６】
記録再生手段により、記録媒体から圧縮デジタルデータを再生し、
前記圧縮デジタルデータに、前記記録再生手段を有する記録再生装置の固有の識別コードを付加して送信データを生成すると共に、外部機器に送信し、
外部機器から送信されてきたデータを受信するとともに、受信された該データから圧縮デジタルデータと識別コードを抽出し、
前記抽出された識別コードと、前記記録再生装置の前記固有の識別コードとを比較し、両者が一致した場合にのみ、前記抽出された圧縮デジタルデータの前記記録再生手段による記録媒体への記録動作を許可する
記録再生方法。
【請求項７】
前記送信データを外部機器に送信するステップにおいて、前記圧縮デジタルデータに対して、所定量のデータ単位毎に前記識別コードを付加して送信データを生成することを特徴とする請求項６に記載の記録再生方法。
【発明の詳細な説明】
【０００１】
【発明の属する技術分野】
本発明はデジタルデータの通信が行なわれデータコピーが可能とされる機器間で構成されるデジタルコピーシステム、及び、そのデジタルコピーシステムの一方の機器となる記録再生装置、及び記録再生方法に関するものである。
【０００２】
【従来の技術】
パーソナルコンピュータや各種のデジタル記録再生機器でデータ通信が可能とされており、例えば音楽作品や映像作品、ソフトウエアプログラムなどを通信してデジタルコピーすることも可能となっている。
【０００３】
図５はパーソナルコンピュータ５０，５１を中心とした通信形態の一例である。パーソナルコンピュータ５０のユーザーは、パーソナルコンピュータ５０に対して例えばＭＤ（ミニディスク）記録再生装置５４、ＣＤ再生装置５６をデジタルデータ通信可能に接続し、音楽データなどのやりとりを可能としている。
【０００４】
またパーソナルコンピュータ５０に内蔵（もしくは外付け）のＣＤ−ＲＯＭドライバ５２を備え、ＣＤ−ＲＯＭドライバ５２からのＣＤ−ＲＯＭ再生データをパーソナルコンピュータ５０にロードできるようにしている。
パーソナルコンピュータ５０には内蔵のハードディスクドライブ５０ａが設けられ、ハードディスクに各種データの格納を行なうようにされている。
【０００５】
同様にパーソナルコンピュータ５１のユーザーは、パーソナルコンピュータ５に対して、ＭＤ記録再生装置５５、ＣＤ再生装置５７をデジタルデータ通信可能に接続し、音楽データなどのやりとりを可能とするとともに、ＣＤ−ＲＯＭドライバ５３を装備している。またパーソナルコンピュータ５１には内蔵のハードディスクドライブ５１ａが搭載されている。
パーソナルコンピュータ５０，５１はインターネットや電子メール、もしくはフロッピーディスクのやり取りなどで相互にデータ通信を行なうことができる。
【０００６】
このような例を考えた場合、パーソナルコンピュータ５０，５１はそれぞれＭＤ記録再生装置５４，５５、ＣＤ再生装置５６，５７から再生されたデジタルオーディオデータをハードディスクドライブ５０ａ，５１ａに記録することができる。またそれぞれインターネットプロバイダーなどからデジタルオーディオデータ（音楽）ＭDATAをダウンロードし、ハードディスクドライブ５０ａ，５１ａに記録することができる。
【０００７】
さらに、ハードディスクドライブ５０ａ，５１ａに記録されているデジタルオーディオデータをＭＤ記録再生装置５４，５５に供給してミニディスク（光磁気ディスク）に録音することもできる。
そしてこれらの通信はデジタルデータ形態のまま行なわれるため、音楽や映像データの劣化も殆どない。
【０００８】
【発明が解決しようとする課題】
このようなシステムにおいては、例えばパーソナルコンピュータ内蔵のハードディスクをミユージックバンクとして利用することが考えられる。即ちＭＤ，ＣＤ，ＣＤ−ＲＯＭ、インターネット、電子メール、フロッピーディスクなどから供給される音楽データ（デジタルオーディオデータ）をハードディスクに取り込んでおく。そしてハードディスクに蓄積されている音楽データを任意にミニディスクなどのデジタルオーディオ記録が可能な機器に供給し、ミニディスクにダビングしていくものである。
ところが、このような使用形態を考えると、データ劣化の少ないデジタルコピーが自由に行なわれることになり、音楽などの著作権管理上の問題が生ずる。
【０００９】
一方、従来よりＤＡＴ（デジタルオーディオテープ）システムなどでは、ＳＣＭＳ（Serial Copy Management System ）方式として知られるように、一世代のみをデジタルコピー可能とすることで、いわゆる私的複製権を確保したうえで、著作権法上違法となる音楽ソフトなどが氾濫しないようにしている。ところが、上記のようにパーソナルコンピュータ内蔵のハードディスクをミユージックバンクとして利用する形態を考えると、ＳＣＭＳ方式を採用した場合、ミユージックバンクとしてのコピー動作が不可能になる。つまり、ハードディスクに記録した段階で既に一世代デジタルコピーが行なわれたことになるため、ハードディスクからミニディスクなどへのデジタルコピーは実行できない。
【００１０】
【課題を解決するための手段】
本発明はこのような問題点に鑑みて、音楽等のデジタルコピーが私的複製を越えて広く氾濫してしまうことはなく、かつ私的複製の範囲では高品位なコピーを可能にすることを目的とする。
【００１１】
このためデジタルコピーシステムとして、例えばミニディスクやＤＡＴなどの所定の記録媒体に対してデジタルデータの記録及び再生動作を行なうことのできる第１の記録再生ユニットと、少なくとも前記第１の記録再生ユニットに対してデジタルデータの送受信が可能とされ、前記第１の記録再生ユニットで第１記録媒体から読み出され、供給されたデジタルデータを第２記録媒体に記録し、また該第２記録媒体からデジタルデータを再生して前記第１の記録再生ユニットに供給することのできる第２の記録再生ユニットから構成する。
そして前記第１の記録再生ユニットは、前記第１記録媒体から再生された再生データを前記第２の記録再生ユニットに送信する際に、該第１の記録再生ユニットに固有に設定されている識別コードも送信し、前記第２の記録再生ユニットにおいて再生データと識別コードが前記第２記録媒体に記録されるようにするとともに、前記第２の記録再生ユニットで前記第２記録媒体から再生された再生データを前記第１の記録再生ユニットに送信する際には、前記第１の記録再生ユニットではその送信されてきたデータ内において、該第１の記録再生ユニットに固有に設定されている識別コードと同一の識別コードが確認された場合にのみ、送信されてきたデータの第３記録媒体への記録動作を実行可能とする。
【００１２】
即ち、第２の記録再生ユニットにおける記録媒体をミュージックバンクなどとして用いる場合に、その記録媒体からの他の記録媒体へのデジタルコピーを実行できるのは、そのユーザーの使用している第１の記録再生ユニットでのデジタルコピーに限定する。
【００１３】
第１の記録再生ユニットに相当する記録再生装置としては、ミニディスクなどの記録媒体に対して記録媒体に対してデジタルデータの記録及び再生を行なうことのできる記録再生手段と、本記録再生装置の固有の識別コードを記憶する記憶手段と、前記記録再生手段で再生された再生データに前記記憶手段に記憶された識別コードを付加して送信データを生成し、外部機器に送信する送信手段と、外部機器から送信されてきたデータを受信するとともに、受信された該データのうちから識別コードを抽出することができる受信手段と、前記受信手段で抽出された前記識別コードと前記記憶手段に記憶された前記固有の識別コードとを比較し、両者が一致した場合にのみ、前記受信手段で受信された前記データについての前記記録再生手段による記録媒体への記録動作を許可する記録制御手段とを設ける。
さらに、記録再生方法としては、記録再生手段により、記録媒体から圧縮デジタルデータを再生し、前記圧縮デジタルデータに、前記記録再生手段を有する記録再生装置の固有の識別コードを付加して送信データを生成すると共に、外部機器に送信し、外部機器から送信されてきたデータを受信するとともに、受信された該データから圧縮デジタルデータと識別コードを抽出し、前記抽出された識別コードと、前記記録再生装置の前記固有の識別コードとを比較し、両者が一致した場合にのみ、前記抽出された圧縮デジタルデータの前記記録再生手段による記録媒体への記録動作を許可するようにする。
【００１４】
【発明の実施の形態】
以下本発明の実施の形態としてのデジタルコピーシステム及びそのデジタルコピーシステムにおける第１の記録再生ユニットに相当する記録再生装置を説明する。
【００１５】
本例では、第１の記録再生ユニットに相当する記録再生装置は図５に破線で示したＭＤ／ＣＤ記録再生装置７０とする。またこの第１の記録再生ユニットとともに本例のデジタルコピーシステムを形成する第２の記録再生ユニットはハードディスクドライブ５０ａを内蔵したパーソナルコンピュータ５０であるとする。そして、ＭＤ／ＣＤ記録再生装置７０とパーソナルコンピュータ５０との間はデジタルオーディオデータの送受信が可能となるように接続されている。
【００１６】
ＭＤ／ＣＤ記録再生装置７０は、ＭＤ（ミニディスク）に対する音楽等の記録及び再生が可能とされるとともに、ＣＤ（コンパクトディスク）からの音楽等の再生が可能とされた複合機器である。
このＭＤ／ＣＤ記録再生装置７０の構成を図１に示す。
【００１７】
ＭＤ／ＣＤ記録再生装置７０では装填されたＭＤ９０に対して圧縮処理されたデジタルオーディオデータの記録及び再生が可能とされる。また装填されたＣＤ９１からデジタルオーディオデータとしての音楽等の再生が可能に構成されている。
【００１８】
このＭＤ／ＣＤ記録再生装置７０の全体の動作制御を行なうシステムコントローラ１はマイクロコンピュータによって形成される。システムコントローラ１は操作部２からの操作情報や内部のプログラムに基づいて、制御信号ＣNTにより各部の動作制御を行ない、また表示部３に所要の表示動作を実行させる。操作部２は、ユーザーがＣＤ９１やＭＤ９０の記録動作や再生動作、アクセス動作等を指示するための各種の操作キーで構成されている。
また不揮発性メモリ４が設けられ、後述する識別コードなど、電源オフ時にも消去されてはならないデータが格納できるようにされている。
【００１９】
インターフェース処理及びエンコード／デコード処理部５（以下、ＩＦ処理部という）は、システムコントローラ１の制御に基づいて、パーソナルコンピュータ５０との間でのデジタルオーディオデータ通信のための処理を実行する。即ち送信データエンコード、送信処理、受信処理、受信データデコード等の処理を行なう。
【００２０】
ＭＤ９０に対しては後述するようにパーソナルコンピュータ５０からＩＦ処理部５に供給されるデジタルオーディオデータの記録が可能とされるとともに、ユーザーが任意の音楽ソースからのアナログ音声信号を入力して、それをデジタルオーディオデータとして録音することもできる。さらに、ＣＤ９１から再生されたデジタルオーディオデータをダビング録音することもできる。
【００２１】
アナログ音楽信号の入力のために、ライン入力端子３２、マイク入力端子３３が設けられている。ライン入力端子３２からの入力音声信号は抵抗部Ｒ１，Ｒ２を介して選択／混合回路３４に供給される。さらにマイク入力端子３３からの入力音声信号は、マイクアンプ／ＡＧＣ回路３５を介して選択／混合回路３４に供給される。
【００２２】
なお抵抗部Ｒ１，Ｒ２の間にはスイッチ素子Ｑが接続され、このスイッチ素子Ｑはシステムコントローラ１からの制御信号ＣNTでオン／オフされる。スイッチ素子Ｑがオンとなることでライン入力端子３２からの入力音声信号は選択／混合回路３４に供給されない。つまりシステムコントローラ１は不要な際には、ライン入力端子３２からの入力音声信号をミュートできる。
【００２３】
選択／混合回路３４は、ライン入力端子３２、マイク入力端子３３からの音声信号を選択又は混合して出力する。例えばライン入力端子３２、マイク入力端子３３の両方から音声信号が供給されているような場合は、一方を選択して出力したり、或はそれらをミキシングして出力できる。
【００２４】
選択／混合回路３４の出力は、出力スイッチ２７のＴIN端子と、ＡＧＣ／レベル調整回路３６に供給される。
出力スイッチ２７の出力は音量調節回路２８、増幅回路２９を介してスピーカ３０又はヘッドホン出力端子３１に供給され、音声出力されることになる。従って出力スイッチ２７でＴIN端子が選択されているときは、ライン入力端子３２もしくはマイク入力端子３３からの音声信号が、スピーカ３０又はヘッドホン出力端子３１から出力される。
【００２５】
装填されたＣＤ９１は、スピンドルモータ２１により一定線速度（ＣＬＶ）で回転駆動される。光学ヘッド２２は、回転されているＣＤ９１に対してレーザ照射を行ない、その反射光を検出することで、ＣＤ９１にピットで記録されているデータを読み出してＲＦアンプ２３に供給する。サーボシグナルプロセッサ２４は、ＲＦアンプ２３の出力からフォーカス、トラッキング、スレッド、スピンドルの各種サーボ信号を生成しサーボ動作を実行させる。
【００２６】
デコーダ２５ではＣＤ９１から読み取られた反射光量情報（再生ＲＦ信号）に対してＥＦＭ復調，ＣＩＲＣデコード等を行なって、１６ビット量子化、44.1KHz サンプリングのデジタルオーディオデータ形態にデコードする。
デコーダ２５から出力されるデジタルオーディオデータはＤ／Ａ変換器２６でアナログ音声信号とされ、出力スイッチ２７のＴCD端子に供給される。ＣＤ再生時には出力スイッチ２７はＴCD端子が選択されるため、ＣＤ９１からの再生音声信号は音量調節回路２８、増幅回路２９を介してスピーカ３０又はヘッドホン出力端子３１に供給され、音声出力されることになる。
【００２７】
装填されたＭＤ９０は、記録時及び再生時にスピンドルモータ１１により一定線速度（ＣＬＶ）で回転駆動される。光学ヘッド１２は、回転駆動されているＭＤ９１からピット又は磁界情報として記録されているデータを読み出してＲＦアンプ１３に供給する。サーボシグナルプロセッサ１４は、ＲＦアンプ１３の出力からフォーカス、トラッキング、スレッド、スピンドルの各種サーボ信号を生成しサーボ動作を実行させる。
【００２８】
エンコーダ／デコーダ１５では、ＭＤ再生時にはＥＦＭ復調，ＡＣＩＲＣデコード等の処理を行なう。エンコーダ／デコーダ１５でデコードされたデータはメモリコントローラ１６を介して一旦バッファメモリ１７に蓄えられる。そして所定タイミングで読み出され、音声圧縮エンコーダ／デコーダ１８で音声圧縮処理（変形ＤＣＴ処理）に対するデコードが行なわれて１６ビット量子化、44.1KHz サンプリングのデジタルオーディオデータとされる。
【００２９】
音声圧縮エンコーダ／デコーダ１８から出力されるデジタルオーディオデータはＤ／Ａ変換器１９でアナログ音声信号とされ、出力スイッチ２７のＴMD端子に供給される。ＭＤ再生時には出力スイッチ２７はＴMD端子が選択されるため、ＭＤ９０からの再生音声信号は音量調節回路２８、増幅回路２９を介してスピーカ３０又はヘッドホン出力端子３１に供給され、音声出力されることになる。
【００３０】
ＭＤ９０に対してはライン入力端子３２、マイク入力端子３３、及びＣＤ９１を信号ソースとして録音を行なうことができる。
ライン入力端子３２又はマイク入力端子３３からの音声信号は混合／選択回路３４、ＡＧＣ／レベル調整回路３６を経て、Ａ／Ｄ変換器３７に供給され、１６ビット量子化、44.1KHz サンプリングのデジタルオーディオデータとされる。そしてこのデジタルオーディオデータは音声圧縮エンコーダ／デコーダ１８に供給されるように構成されている。
また、ＣＤ９１から再生されたデジタルオーディオデータ、即ちデコーダ２５の出力も、音声圧縮エンコーダ／デコーダ１８に供給できるように構成されている。
【００３１】
音声圧縮エンコーダ／デコーダ１８では供給されたデジタルオーディオデータに対して変形ＤＣＴ処理を行ない、データ量を約１／５に圧縮する。そしてその圧縮データはメモリコントローラ１６によって一旦バッファメモリ１７に書き込まれる。そして所定量のデータ蓄積が行なわれる毎に読み出されてエンコーダ／デコーダ１５に供給される。エンコーダ／デコーダ１５では、供給されたデータについてＡＣＩＲＣエンコード及びＥＦＭ変調を行なって記録データを生成し、磁気ヘッド部２０に供給する。
【００３２】
記録時には光学ヘッド１２はＭＤ９０のディスク盤面に対して連続的にハイパワーでレーザ光の照射を行ない照射部位をキュリー温度まで高める。このときに対向する位置に配されている磁気ヘッド部２０がＮ又はＳの磁界を印加すると、そのＮ／Ｓ情報がディスクに記録されることになる。従って磁気ヘッド部２０は記録データに応じてＮ又はＳの磁界を印加することで、音声データがＭＤ９０に記録されることになる。
【００３３】
ところで、ＭＤ９０、ＣＤ９１から再生されるデジタルオーディオデータは、ＩＦ処理部５を介して、パーソナルコンピュータ５０に送信できるようにされている。このため、ＭＤ９０からの再生データに関しては、バッファメモリ１７から読み出されたデータ、つまり音声圧縮処理がされている状態でのデジタルオーディオデータがＩＦ処理部５に供給されるように構成されている。
またデコーダ２５とエンコーダ／デコーダ１５がデジタルオーディオインターフェース接続されており、ＣＤ９１からの再生データであるデジタルオーディオデータも、バッファメモリ１７から読み出された段階でＩＦ処理部５に供給することができるようにしている。
【００３４】
ＩＦ処理部５では、送信すべきデジタルオーディオデータについてエンコード処理を行ない、送信データを生成してパーソナルコンピュータ５０に対してデジタルデータ形態で送信する。パーソナルコンピュータ５０ではその送信データをそのままハードディスクドライブ５０ａにおいてハードディスクに記録することができる。つまり音楽としてのデジタルオーディオデータをコピーすることができる。
【００３５】
またパーソナルコンピュータ５０からデジタルオーディオデータが送信されてきた場合、ＩＦ処理部５ではその受信及びデコードを行ない、デコードされたオーディオデータ（音声圧縮処理データ）をバッファメモリ１７に供給することができる。そしてそのデジタルオーディオデータは、エンコーダ／デコーダ１５でエンコードされた後、磁気ヘッド部２０に記録データとして供給されることＭＤ９０に記録される。
【００３６】
なお、パーソナルコンピュータ５０から１６ビット量子化、44.1KHz サンプリングの圧縮処理されていないデジタルオーディオデータが供給された場合は、ＩＦ処理部５はその受信しデコードしたデータを音声圧縮エンコーダ／デコーダ１８に供給して音声圧縮処理を施したうえで、バッファメモリ１７に蓄積させていく。
【００３７】
このようにＭＤ／ＣＤ記録再生装置７０では、パーソナルコンピュータ５０から供給された音楽としてのデジタルオーディオデータをＭＤ９０にコピーすることができる。
【００３８】
このようなＭＤ／ＣＤ記録再生装置７０及びパーソナルコンピュータ５０によれば、パーソナルコンピュータ５０のハードディスクをミュージックバンクとして用いることができる。
【００３９】
つまり、まずＭＤ／ＣＤ記録再生装置７０でＭＤ９０の再生動作を行ない、音声圧縮されたままの時点のデジタルオーディオデータをＩＦ処理部５からパーソナルコンピュータ５０に送信する。パーソナルコンピュータ５０では送信されてきたデジタルオーディオデータをトラック（曲）単位で１つのファイルとしてハードディスクドライブ５０ａに記録していく。
このような動作を繰り返すことで、パーソナルコンピュータ５０のハードディスクには、多数の曲がそれぞれファイルデータとして格納された状態となる。
【００４０】
ユーザーは必要に応じて任意の時点でハードディスクに格納されているファイル（曲）の中から１又は複数のファイルを選択し、パーソナルコンピュータ５０からＭＤ／ＣＤ記録再生装置７０に送信させる。そしてＭＤ／ＣＤ記録再生装置７０に対しては、例えば何も記録されていないバージンディスクであるＭＤ９０を装填しておき、記録動作の実行を指示する。するとパーソナルコンピュータ５０から送信させたデジタルオーディオデータはＭＤ９０にデジタルコピー記録されていき、これによってユーザーが望む曲を集めたＭＤ９０を作成できることになる。
もちろんパーソナルコンピュータ５０側で音楽データに対して各編集処理を加えてからＭＤ９０にデジタルコピーすることも可能である。
【００４１】
そして、ＭＤ９０からハードディスクへのコピーも、ハードディスクからＭＤ９０へのコピーも、音声圧縮処理段階でのデジタルデータ形態で行なわれるため、音質等の劣化は殆どなく、高品位なオーディオデータを維持できる。また特に圧縮処理されたままのデータを転送するため、ＭＤ９０での記録／再生速度、データ圧縮度などにもよるが、通常の音楽再生速度の数１０倍という高速でコピーを完了することもできる。
【００４２】
ところが、このようなデジタルコピー動作に全く制限を設けなければ、例えば図５のような各種通信形態を考えた場合、私的複製を越えて不法コピーディスクが作成されてしまう危険性もある。
そこで本例では、ＭＤ／ＣＤ記録再生装置７０でのＭＤ９０（又はＣＤ９１）からパーソナルコンピュータ５０のハードディスクにデジタルコピーする場合、及びパーソナルコンピュータ５０のハードディスクからＭＤ／ＣＤ記録再生装置７０のＭＤ９０にデジタルコピーする場合のそれぞれにおいて、以下説明する動作を行なうことで、高品位なデジタルコピーが私的複製の範囲内でのみ行なわれるようにしている。
【００４３】
まずＭＤ／ＣＤ記録再生装置７０には、あらかじめ製造時においてその装置固有の識別コードが設定され、不揮発性メモリ４に記憶されるようにしている。識別コードは、例えばメーカ名、機種名、機器毎の製造番号（シリアルナンバ）が合成されてコード化されればよい。もちろん製造地コード、製造年月日などの他の内容が付加されてもよい。いずれにしても識別コードは、各機器に個別に与えられるコードとされる。
【００４４】
ＭＤ／ＣＤ記録再生装置７０でＭＤ９０（又はＣＤ９１）から再生したデジタルオーディオデータをパーソナルコンピュータ５０に送信してハードディスクにデジタルコピーする場合の送信データイメージを図２に示す。
ＩＦ処理部５には、ＭＤ９０から再生され、エンコーダ／デコーダ部１５でデコードされ、バッファメモリ１７を介した音声圧縮処理されている状態でのデジタルオーディオデータが供給されるが、このとき、システムコントローラ１は不揮発性メモリ４から識別コードを読み出し、これをＩＦ処理部５に供給する。
【００４５】
ＩＦ処理部５ではエンコード処理として、バッファメモリ１７から連続して供給されてくる音声圧縮デジタルオーディオデータに対して、図２（ａ）のように所定量のデータ単位（Ｎサンプル）毎にパケット化する。そして、各パケットデータとシステムコントローラ１から供給される識別コード、及びシンクパターンを付加して図２（ｂ）のように１パック単位で連続したデータストリームを形成していく。
そしてこの図２（ｂ）のようなデータストリームをパーソナルコンピュータ５０に対して送信出力する。
【００４６】
このようなデータがそのままパーソナルコンピュータ５０のハードディスクにコピーされるわけであるが、ハードディスク上でのファイルとして記録されているデジタルオーディオデータには、パックデータ単位として例えばかなり細かい音声単位（例えば数〜数１００ｍ秒程度）毎に識別コードが付加された状態となっている。
【００４７】
なお、かならずしもこの図２（ｂ）のようなパック形態を取らなくとも、少なくともデジタルオーディオデータに識別コードが付加されるようにすればよい。例えばミニディスクシステムでは、リンキングセクターなどのように実際の音声情報が記録されていないデータ部分もあるが、このような領域のタイミングに識別コードを割り当てて送信するようにしてもよい。
ＣＤ９１の再生データを送信する場合にも同様に識別コードが付加されるようにすればよい。
【００４８】
パーソナルコンピュータ５０のハードディスクからＭＤ／ＣＤ記録再生装置７０のＭＤ９０にデジタルコピーする場合の動作は次のようになる。
図３はこの際のシステムコントローラ１の処理を示し、また図４はＩＦ処理部５でのデコード動作のイメージを示すものである。
【００４９】
パーソナルコンピュータ５０がハードディスクドライブ５０ａで要求されたファイル（曲）の再生動作を実行しＭＤ／ＣＤ記録再生装置７０に送信すると、ＩＦ処理部５には図４（ａ）のようなデータストリームが供給されることになる。
【００５０】
このときにＭＤ／ＣＤ記録再生装置７０では受信されたデジタルオーディオデータのＭＤ９０への記録動作を行なうわけであるが、その記録中にシステムコントローラ１及びＩＦ処理部５によって図３の処理が行なわれる。
【００５１】
まずダビングスタートとして、パーソナルコンピュータ５０からの送信の受取り及びＭＤ９０への記録動作が開始されるが、ＩＦ処理部５でのデコード処理としてステップF101ではシンク検出が行なわれる。送信されてきたデータのシンクを検出することでパックデータとしての１単位が把握され、これに基づいてステップF102でデコード処理が行なわれる。
このデコード処理により、図４（ａ）（ｂ）に示すようにパックデータ内に付加されている識別コードが分離されてシステムコントローラ１に供給されるとともに、シンク及び識別コードが除かれたデジタルオーディオデータが得られる。
【００５２】
システムコントローラ１はステップF103で、受信データから分離抽出された識別コードと、不揮発性メモリ４に記憶されている識別コードを比較する。
そして一致していると判断されれば、ステップF104からF105に進み、図４（ｂ）のようにデコードされたデジタルオーディオデータをバッファメモリ１７に供給させ、以下ＭＤ９０への録音処理に供する。デジタルコピーによるダビング中はこのステップF101〜F105の処理を継続していく。
【００５３】
パーソナルコンピュータ５０から送信されてきたデジタルオーディオデータに付加されていた識別コードが当該ＭＤ／ＣＤ記録再生装置７０の識別コードと一致しなかった場合は、ステップF104で否定結果が得られ、ステップF106に進む。そしてシステムコントローラ１は、ＭＤ９０への録音動作を停止させることになる。
【００５４】
以上のような処理により、パーソナルコンピュータ５０から送信されたデジタルオーディオデータについて、当該ＭＤ／ＣＤ記録再生装置７０でＭＤ９０へデジタルコピーできるのは、当該ＭＤ／ＣＤ記録再生装置７０に固有の識別コードが付加されている場合のみとなる。当該ＭＤ／ＣＤ記録再生装置７０に固有の識別コードが付加されているデジタルオーディオデータとは、もともとこのＭＤ／ＣＤ記録再生装置７０でＭＤ９０（又はＣＤ９１）から再生され、パーソナルコンピュータ５０のハードディスクにデジタルコピーされたデータである。
【００５５】
これは即ち、ユーザーが私的複製を行なって音楽等を楽しむために、ハードディスクをミュージックバンクとして使用する場合のデジタルコピーに限られることになり、ハードディスクにファイル化されている音楽データがむやみにコピーされることはないものとなる。
【００５６】
つまり、図５においてハードディスクドライブ５０ａから再生された音楽データがインターネットや電子メール、フロッピーディスクなどによって配布され、他のパーソナルコンピュータ５１のハードディスクドライブ５１ａに格納されたとしても、そのハードディスクドライブ５１ａから再生した音楽データをＭＤ記録再生装置５５に転送してＭＤにデジタルコピーすることはできないものとなる。またパーソナルコンピュータ５０に他の記録装置を接続しても、デジタルコピーはできないものとなる。
【００５７】
さらにＭＤ／ＣＤ記録再生装置７０において、ＳＣＭＳ方式が採用されていることで、パーソナルコンピュータ５０のハードディスクからＭＤ９０にデジタルコピーが行なわれた段階で、ＳＣＭＳフラグがセットされ、それ以降の世代のデジタルコピーが禁止される。従って、デジタルコピーで作成したＭＤ９１は私的に楽しむ以外の、例えばデジタルオーディオデータソースとして複製品を製造することなどには用いることはできない。
【００５８】
また、図２からわかるように識別コードはパックデータ毎に付加されることになり、例えば音楽１曲で考えると、数ｍ秒〜数１００ｍ秒程度の間隔で識別コードが存在することになる。すると、例えばパーソナルコンピュータ５０においてデジタルオーディオデータの編集処理等が行なわれ、例えば他のソースからコピーしておいたデジタルオーディオデータと合成されて新しい１曲のファイルが生成された場合などを考えても、図３のように繰り返して識別コードを確認する処理を行なっているため、あくまで当該ＭＤ／ＣＤ記録再生装置９０からデジタルコピーしたオーディオデータ部分のみについて録音可能とされる。即ち私的複製を越える恐れのある部分についてはデジタルコピーができないものとなる。
【００５９】
以上のことからわかるように本例では、あくまで私的複製に関しては高品位のデータコピーを高速で実行できるようにされ、かつそのコピー行為が私的複製の範囲を越えるような恐れがある場合については、コピー動作が禁止されることになり、ユーザー及び著作者の両方に好ましいデジタルコピーシステムが構築できることになる。
【００６０】
なお、本発明は上記例の構成や動作に限定されず、各種変形例が考えられることはいうまでもない。
上記例ではＭＤ／ＣＤ記録再生装置とパーソナルコンピュータでのデジタルコピーシステムとして説明したが、ＤＡＴ記録再生装置やＤＶＤ（デジタルビデオディスク）記録再生装置などの他のデジタル記録再生機器などもシステムを構成するユニットの対象となる。
【００６１】
また、インターネットなどの通信によるプロバイダーから一般ユーザーへの音楽提供にも適用できる。
つまり、プロバイダーは例えば契約した特定のユーザーの用いる記録装置の識別コードを入れて図４（ａ）のようなデータ形態で音楽等をそのユーザーのパーソナルコンピュータに送信し、ハードディスクにダウンロードさせる。すると、その特定のユーザーのみが、その音楽等をミニディスク等にデジタルコピーできることになり、音楽等の通信による提供形態が実現できる。
【００６２】
【発明の効果】
以上説明したように本発明は、第１の記録再生ユニットは、記録媒体から再生された再生データを第２の記録再生ユニットに送信する際に、その第１の記録再生ユニットに固有に設定されている識別コードも送信し、第２の記録再生ユニットにおいて再生データと識別コードが記録媒体に記録されるようにする。また第２の記録再生ユニットで記録媒体から再生された再生データを第１の記録再生ユニットに送信した際には、第１の記録再生ユニットではその送信されてきたデータ内において、その第１の記録再生ユニットに固有に設定されている識別コードと同一の識別コードが確認された場合にのみ、送信されてきたデータの記録媒体への記録動作を実行可能とする。このため、第１の記録再生ユニットでは、あくまでも当該第１の記録再生ユニットから第２の記録再生ユニットに送信してデジタルコピーさせたデータについて、第２の記録再生ユニットからデジタルコピーできることになる。
つまり、あくまで私的複製としてのデジタルコピーに関しては高品位かつ高速なコピーが実行できるようにするとともに、私的複製の範囲を越える恐れのあるデジタルコピーは実行できないようになり、ユーザー及び著作者の両方に好ましいデジタルコピーシステムが構築できるという効果がある。
【図面の簡単な説明】
【図１】本発明の実施の形態のＭＤ／ＣＤ記録再生装置のブロック図である。
【図２】実施の形態のＭＤ／ＣＤ記録再生装置からの送信エンコード処理の説明図である。
【図３】実施の形態のＭＤ／ＣＤ記録再生装置で受信データのコピー時の処理のフローチャートである。
【図４】実施の形態のＭＤ／ＣＤ記録再生装置での受信デコード処理の説明図である。
【図５】デジタルデータ通信可能なシステム構成例の説明図である。
【符号の説明】
１  システムコントローラ、４  不揮発性メモリ、５  ＩＦ処理部、１２  光学ヘッド、１５  エンコーダ／デコーダ部、１６  メモリコントローラ、１７  バッファメモリ、１８  音声圧縮エンコーダ／デコーダ部、２０  磁気ヘッド、５０  パーソナルコンピュータ、５０ａ  ハードディスクドライブ、７０  ＭＤ／ＣＤ記録再生装置、９０  ＭＤ、９１  ＣＤ
【図１】
0003684696.tif 000002
【図２】
0003684696.tif 000003
【図３】
0003684696.tif 000004
【図４】
0003684696.tif 000005
【図５】
0003684696.tif 000006